(57)【特許請求の範囲】
【請求項１】
径方向に延びる切欠部を備えた日歯車部を具備する日車と、
日歯車に対して揺動可能に日車に取付けられ、揺動された際に日車に形成された切欠部に対して進退可能な歯状被係合部を一端部に備えた作動レバーであって、前記歯状被係合部が切欠部に対して深く挿入されて日回し爪と係合して日車の余分の送りを可能にする事前送り許容位置と前記歯状被係合部が該事前送り許容位置における位置よりも切欠部に対して後退して日回し爪による通常の日送りを可能にする通常送り許容位置との間で揺動可能で、事前送り許容位置に設定された際に日回し爪が通常の日送りのタイミングよりも前に歯状被係合部に係合して通常の日送りよりも前に日車を一日分余分に回転させるものと、
月表示車の回転に応じて回転され大の月及び小の月を表すカム面を備えた月カムと、
月カムに係合するカム従節を備えると共に月カムの回転に応じて駆動されて前記作動レバーに前記通常送り許容位置と前記事前送り許容位置との間での揺動を許容する駆動レバー構造体とを有し、
小の月から大の月に変わる際に、駆動レバー構造体が作動レバーの事前送り許容位置への変位を許容するように構成されたカレンダ機構。
【請求項２】
日歯車が隣接する歯部の間に切欠部を有し、
前記歯状被係合部が切欠部に入り込んだ事前送り許容位置と前記歯状被係合部が切欠部に対して後退して日回し爪から離れて通常の日送りを可能にする通常送り許容位置との間で、前記作動レバーが揺動可能であり、
小の月から大の月に変わる際に作動レバーの前記歯状被係合部が該切欠部に入り込んだ事前送り許容位置を採り、日回し爪が通常の日送りのタイミングよりも前に該歯状被係合部に係合して、通常の日送りよりも前に日車が一日分余分に回転されるように構成された請求項１に記載のカレンダ機構。
【請求項３】
作動レバーが事前送り許容位置を採ったとき歯状被係合部が日歯車を構成する歯部と同程度に径方向内向きに突出し、作動レバーが通常送り許容位置を採ったとき歯状被係合部が日歯車を構成する歯部よりも径方向外側に位置するように切欠部に対して径方向外方に後退している請求項２に記載のカレンダ機構。
【請求項４】
日歯車が一の歯部に重なった周方向位置において該一の歯部に沿って放射状に延びた切欠部を有し、
小の月から大の月に変わる際に作動レバーの前記歯状被係合部が該切欠部に入り込んで、日車が一日分余分に回転されるように構成された請求項１に記載のカレンダ機構。
【請求項５】
作動レバーが事前送り許容位置を採ったとき歯状被係合部が日歯車を構成する歯部よりも径方向内向きに突出し、作動レバーが通常送り許容位置を採ったとき歯状被係合部が日歯車を構成する歯部よりも径方向外側に位置するように切欠部に対して径方向外方に後退している請求項４に記載のカレンダ機構。
【請求項６】
周方向に等間隔に配置されて日歯車を構成すべき３１個の歯部のうちの一つの歯部が欠けて放射状に延びた切欠部になっており、
小の月から大の月に変わる際に作動レバーの前記歯状被係合部が該切欠部に深く入り込んで、日車が一日分余分に回転されるように構成された請求項１に記載のカレンダ機構。
【請求項７】
作動レバーが事前送り許容位置を採ったとき歯状被係合部が日歯車を構成する歯部よりも径方向内向きに突出し、作動レバーが通常送り許容位置を採ったとき歯状被係合部が日
歯車を構成する歯部と同程度に径方向内向きに突出するように事前送り許容位置にある場合と比較して切欠部に対して径方向外方に後退している請求項６に記載のカレンダ機構。
【請求項８】
駆動レバー構造体が、月カムによって回動される第一駆動レバーと、該第一駆動レバーの回動に応じて回動されて作動レバーの揺動を制御する第二駆動レバーとを有する請求項１から７までのいずれか一つの項に記載のカレンダ機構。
【請求項９】
小の月の月末に作動レバーが事前送り許容位置を採って作動レバーの前記歯状被係合部が該切欠部に入り込み得るように、小の月において作動レバーが採る揺動位置において、月末に近付くと、作動レバーが前記事前送り許容位置に入り得るように構成されている請求項１から８までのいずれか一つの項に記載のカレンダ機構。
【請求項１０】
請求項１から９までのいずれか一つの項に記載のカレンダ機構を備えたカレンダ機構付時計。
【発明の詳細な説明】
【技術分野】
【０００１】
本発明は、カレンダ機構及びこれを有する時計に係る。
【背景技術】
【０００２】
カレンダ機構として大の月（３１日の月）と小の月（３０日以下の月）とを区別して月送りするいわゆるオートカレンダ機構の形態にする技術として種々の技術が知られている。
【０００３】
オートカレンダ機構では、二月以外の小の月の月末（３０日）に二日分だけ日送りをすることになり、このために、種々の機構が提案されている（特許文献１や特許文献２）。
【０００４】
特許文献１のカレンダ機構では、大の月と小の月とを区別する月カムを用いるものの、日送り爪の弾性腕部が通常（小の月末以外の日）は強制的に変形されて一日に一歯のみ送るようにしていて、日送り爪の動作の安定性が損なわれ易い。また、構造的にザラ負荷（輪列の回転に係る負荷）が大きくなり易くエネルギのロスが大きくなり易い。なお、月カムを用いること自体は他にも知られている（特許文献１以外に、例えば、特許文献３）。
【０００５】
特許文献２のカレンダ機構では、日車に付加機構が付けられているものの、所定の動作をし得るように歯数が規定された遊星歯車機構が用いられるものであって、構造が極めて複雑化するのを避け難い。
【先行技術文献】
【特許文献】
【０００６】
【特許文献１】特許第２６５１１５０号公報
【特許文献２】特開２００５−３２６４２０号公報
【特許文献３】特開２００９−１２８１１９号公報
【発明の概要】
【発明が解決しようとする課題】
【０００７】
本発明は前記諸点に鑑みなされたものであって、月カムを設けると共に、日歯車の歯の如く日送りに関与する歯状爪部（歯状被係合部）を備えたレバーを進退可能に日車に設けることにより、構造の複雑化を避けつつ月及び日表示を効率的に行ない得るようにしたカレンダ機構及びこれを備えたカレンダ機構付時計を提供することにある。
【課題を解決するための手段】
【０００８】
本発明のカレンダ機構は、前記目的を達成すべく、径方向に延びる切欠部を備えた日歯車部を具備する日車と、日歯車に対して揺動可能に日車に取付けられ、揺動された際に日車に形成された切欠部に対して進退可能な歯状被係合部を一端部に備えた作動レバーであって、前記歯状被係合部が切欠部に対して深く挿入されて日回し爪と係合して日車の余分の送りを可能にする事前送り許容位置と前記歯状被係合部が該事前送り許容位置における位置よりも切欠部に対して後退して日回し爪による通常の日送りを可能にする通常送り許容位置との間で揺動可能で、事前送り許容位置に設定された際に日回し爪が通常の日送りのタイミングよりも前に歯状被係合部に係合して通常の日送りよりも前に日車を一日分余分に回転させるものと、月表示車の回転に応じて回転され大の月及び小の月を表すカム面を備えた月カムと、月カムに係合するカム従節を備えると共に月カムの回転に応じて駆動されて前記作動レバーに前記通常送り許容位置と前記事前送り許容位置との間での揺動を許容する駆動レバー構造体とを有し、小の月から大の月に変わる際に、駆動レバー構造体が作動レバーの事前送り許容位置への変位を許容するように構成されている。
【０００９】
本発明のカレンダ機構では、「日歯車に対して揺動可能に日車に取付けられ、揺動された際に日車に形成された切欠部に対して進退可能な歯状被係合部を一端部に備えた作動レバーであって、前記歯状被係合部が切欠部に対して深く挿入されて日回し爪と係合して日車の余分の送りを可能にする事前送り許容位置と前記歯状被係合部が該事前送り許容位置における位置よりも切欠部に対して後退して日回し爪による通常の日送りを可能にする通常送り許容位置との間で揺動可能で、事前送り許容位置に設定された際に日回し爪が通常の日送りのタイミングよりも前に歯状被係合部に係合して通常の日送りよりも前に日車を一日分余分に回転させるものと、月カムに係合するカム従節を備えると共に月カムの回転に応じて駆動されて前記作動レバーに前記通常送り許容位置と前記事前送り許容位置との間での揺動を許容する駆動レバー構造体と」が設けられているので、月カムによって駆動レバー構造体を駆動して該駆動レバー構造体によって作動レバーの事前送り許容位置への変位を許容することにより、小の月から大の月に変わる際に、日回し爪をして、通常の日送りのタイミングよりも前に歯状被係合部に係合して通常の日送りよりも前に日車を一日分余分に回転させ得る。従って、小の月から大の月への月変わりが自動的に行われ得る。
【００１０】
また、本発明のカレンダ機構では、日車が「径方向に延びる切欠部を備えた日歯車部を具備」し、且つ「作動レバーが日歯車に対して揺動可能に該日車に取付けられ」ると共に作動レバーが日歯車の歯の如く（但し、ある場合には同様に別の場合には多少異なるように）働く歯状被係合部を備えるので、構造の複雑化を避けつつ月及び日表示を効率的に行ない得る。
【００１１】
本発明の一観点のカレンダ機構では、日歯車が隣接する歯部の間に切欠部を有し、前記歯状被係合部が切欠部に入り込んだ事前送り許容位置と前記歯状被係合部が切欠部に対して後退して日回し爪から離れて通常の日送りを可能にする通常送り許容位置との間で、前記作動レバーが揺動可能であり、小の月から大の月に変わる際に作動レバーの前記歯状被係合部が該切欠部に入り込んだ事前送り許容位置を採り、日回し爪が通常の日送りのタイミングよりも前に該歯状被係合部に係合して、通常の日送りよりも前に日車が一日分余分に回転されるように構成される。
【００１２】
この場合、切欠部が日歯車の隣接する歯部の間に形成されているので、該切欠部に挿入される歯状被係合部は、通常の日送りのタイミングよりも前に該歯状被係合部に係合して通常の日送りよりも前に日車の回転を生じさせ得る。ここで、日歯車の回転位置は、日ジャンパによって躍制されるので、日回し爪が通常の日送りのタイミングよりも前に該歯状被係合部に係合して通常の日送りよりも前に回転された後、日車が該日ジャンパの働きにより所定回転位置に規正されるので、更に日送りが行われて日車が一日分余分に回転されることになる。なお、この場合、二回の日送りが短い間に行われ得るので、小の月の月末（３０日）の夜になってから二日分の日送りが違和感を最低限に抑えるように行われ得る。
【００１３】
この場合、本発明のカレンダ機構では、典型的には、作動レバーが事前送り許容位置を採ったとき歯状被係合部が日歯車を構成する歯部と同程度に径方向内向きに突出し、作動レバーが通常送り許容位置を採ったとき歯状被係合部が日歯車を構成する歯部よりも径方向外側に位置するように切欠部に対して径方向外方に後退している。
【００１４】
この場合、日歯車の歯の間に切欠部を形成すればよいので、比較的容易に形成され得る。また、切欠部を隣接する歯の中間部ではなくて異なる周方向位置に形成することにより、又は歯状被係合部の突出長を変えることにより、小の月から大の月に移る際における二回のうちの最初の日替わりのタイミングを変え得る。
【００１５】
本発明の別の一観点のカレンダ機構では、日歯車が一の歯部に重なった周方向位置において該一の歯部に沿って放射状に延びた溝状切欠部を有し、小の月から大の月に変わる際に作動レバーの前記歯状被係合部が該溝状切欠部に入り込んで、日車が一日分余分に回転されるように構成される。
【００１６】
この場合、切欠部を日歯車の歯部に重なる周方向位置に形成すればよいので、日歯車を構成する歯部の間の間隔が狭くてもよい。
【００１７】
この場合、本発明のカレンダ機構では、典型的には、作動レバーが事前送り許容位置を採ったとき歯状被係合部が日歯車を構成する歯部よりも径方向内向きに突出し、作動レバーが通常送り許容位置を採ったとき歯状被係合部が日歯車を構成する歯部よりも径方向外側に位置するように切欠部に対して径方向外方に後退している。
【００１８】
この場合、歯状被係合部の切欠部からの突出長を変えることにより、小の月から大の月に移る際における二回のうちの最初の日替わりのタイミングを変え得る。
【００１９】
本発明の更に別の一観点のカレンダ機構では、周方向に等間隔に配置されて日歯車を構成すべき３１個の歯部のうちの一つの歯部が欠けて前記切欠部になっており、小の月から大の月に変わる際に作動レバーの前記歯状被係合部が該溝状切欠部に深く入り込んで、日車が一日分余分に回転されるように構成される。
【００２０】
この場合、本来歯部がある箇所に切欠部を形成すればよいので、切欠部の形成が他の部分に及ぼす影響を最低限に抑え得る。
【００２１】
この場合、本発明のカレンダ機構では、典型的には、作動レバーが事前送り許容位置を採ったとき歯状被係合部が日歯車を構成する歯部よりも径方向内向きに突出し、作動レバーが通常送り許容位置を採ったとき歯状被係合部が日歯車を構成する歯部と同程度に径方向内向きに突出するように事前送り許容位置にある場合と比較して切欠部に対して径方向外方に後退している。
【００２２】
この場合も、歯状被係合部の切欠部からの突出長を変えることにより、小の月から大の月に移る際における二回のうちの最初の日替わりのタイミングを変え得る。また、この場合、通常送り許容位置においても、歯状被係合部が日歯車の通常の歯部と同様に日送りに寄与するので、歯状被係合部が最大限に利用され得る。
【００２３】
本発明のカレンダ機構では、典型的には、駆動レバー構造体が、月カムによって回動される第一駆動レバーと、該第一駆動レバーの回動に応じて回動されて作動レバーの揺動を制御する第二駆動レバーとを有する。
【００２４】
この場合、月カムと作動レバーとを効果的に連結し易い。但し、他の構造でもよい。
【００２５】
本発明のカレンダ機構では、典型的には、小の月の月末に作動レバーが事前送り許容位置を採って作動レバーの前記歯状被係合部が該切欠部に入り込み得るように、小の月において作動レバーが採る揺動位置において、月末に近付くと、作動レバーが前記事前送り許容位置に入り得るように構成される。
【００２６】
この場合、作動レバーに取付けられていることが最大限生かされ得る。なお、月末に近付いた時点における作動レバーと駆動レバー構造体との相対的な位置関係は、作動レバーの側面部（後述の図示した例では外側面）の位置ないし形状によって規定される代わりに、駆動レバー構造体（後述の図示した例では第二駆動レバー）のうち作動レバーと干渉する部分の形状によって規定してもよい（後述の図示した例では第二駆動レバーのピン状押圧部が周方向に沿って変動する形状を有していてもよい）。
【００２７】
本発明のカレンダ機構付時計は、前記目的を達成すべく、上述のようなカレンダ機構を備える。
【図面の簡単な説明】
【００２８】
【図１】本発明の好ましい一実施例のオートカレンダ機構を備えた本発明の好ましい一実施例のカレンダ機構付時計の外観を示す図。
【図２】図１のカレンダ機構付時計の平面説明図（文字板や時刻表示針等を取り除いた状態）。
【図３】図２の時計が５月２９日にある状態についての図２と同様な平面説明図。
【図４】図１の時計についての一断面説明図。
【図５】図１の時計についての別の一断面説明図。
【図６】図１の時計についての更に別の一断面説明図。
【図７】図２の時計が４月２９日にある状態を示したもので、（ａ）は４月２９日から次の日への日変わり（日表示の切替）が始まる以前の図２と同様な平面説明図、（ｂ）は４月２９日から次の日への日表示の切替が行われる直前の図２と同様な平面説明図。
【図８】図２の時計が４月３０日にある状態を示したもので、（ａ）は４月３０日から次の日への日変わり（日表示の切替）が始まる以前の図２と同様な平面説明図、（ｂ）は小の月の月末である４月３０日から次の日への日表示の二回の切替が開始される直前の図２と同様な平面説明図。
【図９】図２の時計が４月３０日にあって５月１日への切替が進行している途中の状態を示したもので、（ａ）は小の月の月末である４月３０日から次の日への日表示の二回の切替のうち一回目の切替の途中における図２と同様な平面説明図、（ｂ）は小の月の月末である４月３０日から次の日への日表示の二回の切替のうち一回目の切替が完了する直前における図２と同様な平面説明図。
【図１０】図２の時計が４月３０日にあって５月１日への切替が進行している途中の状態を示したもので、（ａ）は小の月の月末である４月３０日から次の日への日表示の二回の切替のうち一回目の切替が完了した直後における状態を示した図２と同様な平面説明図、（ｂ）は小の月の月末である４月３０日から次の日への日表示の二回の切替のうち一回目の切替が完了した後二回目の切替のためのプロセスに入った状態を示した図２と同様な平面説明図
【図１１】図２の時計が４月３０日にあって５月１日への切替が進行している途中の状態を示したもので、（ａ）は小の月の月末である４月３０日から次の日への日表示の二回の切替のうち二回目の切替が開始される直前の状態を示した図２と同様な平面説明図、（ｂ）は小の月の月末である４月３０日から次の日への日表示の二回の切替のうち二回目の切替が進行している途中の状態を示した図２と同様な平面説明図
【図１２】図２の時計が４月３０日から５月１日への切替が完了した直後の状態を示した図２と同様な平面説明図
【図１３】図２の時計が５月３１日から次の日への非表示の切替を示したもので、（ａ）は５月３１日から次の日への日変わり（日表示の切替）が行われる直前の状態を示した図２と同様な平面説明図、（ｂ）は５月３１日から次の日（６月１日）への日表示の切替が行われた直後の状態を示した図２と同様な平面説明図。
【図１４】本発明の好ましい別の一実施例のオートカレンダ機構を備えた本発明の好ましい別の一実施例のカレンダ機構付時計についての図２と同様な平面説明図。
【図１５】図１４のオートカレンダ機構を備えたカレンダ機構付時計についての図４と同様な断面説明図。
【図１６】図１４の時計が４月２９日にある状態を示したもので、（ａ）は４月２９日から次の日への日変わり（日表示の切替）が始まる以前の図１４と同様な平面説明図、（ｂ）は４月２９日から次の日への日表示の切替が行われる直前の図１４と同様な平面説明図。
【図１７】図１４の時計が４月３０日にある状態を示したもので、（ａ）は４月３０日から次の日への日変わり（日表示の切替）が始まる以前の図１４と同様な平面説明図、（ｂ）は４月３０日から５月１日への二回の日表示の切替のうち最初の切替が行われている途中の状態を示した図１４と同様な平面説明図。
【図１８】図１４の時計が４月３０日から５月１日への切替の途中にある状態を示したもので、（ａ）は４月３０日から５月１日への二回の日表示の切替のうち最初の切替が完了した状態を示した図１４と同様な平面説明図、（ｂ）は４月３０日から５月１日への二回の日表示の切替のうち二回目の切替の準備が完了した状態を示した図１４と同様な平面説明図。
【図１９】本発明の好ましい更に別の一実施例のオートカレンダ機構を備えた本発明の好ましい更に別の一実施例のカレンダ機構付時計についての図２や図１４と同様な平面説明図。
【図２０】時計が４月３０日にあって、４月３０日から次の日への日変わり（日表示の切替）が始まる以前の状態を示した図１９と同様な平面説明図、
【図２１】時計が４月３０日から５月１日への二回の日表示の切替のうち最初の切替の途中にある状態を示した図１９と同様な平面説明図。
【図２２】時計が４月３０日から５月１日への二回の日表示の切替のうち最初の切替が完了した状態を示した図１９と同様な平面説明図。
【図２３】時計が４月３０日から５月１日への二回の日表示の切替のうち二回目の切替が完了した状態を示した図１９と同様な平面説明図。
【発明を実施するための形態】
【００２９】
本発明の好ましい実施の形態のいくつかを添付図面に示した好ましい実施例に基づいて説明する。
【実施例】
【００３０】
図１から図１６には、本発明の好ましい一実施例のカレンダ機構としてのオートカレンダ機構１を備えた時計、即ち、カレンダ機構付時計２が示されている。
【００３１】
カレンダ機構付時計２は、図１に示したような外観３を有する。すなわち、カレンダ機構付時計２は、時針１１ａ、分針１１ｂ及び秒針１１ｃからなる時刻表示針１１を中心軸線Ｃのまわりで時計回りＣ１に回転可能に備える。カレンダ機構付時計２の文字板１２は月表示領域１３ａ及び日表示領域１３ｂを備えた月日表示窓１３を有する。１４は時計ケース、１５はりゅうずである。
【００３２】
図４の断面図に示した例では、時針１１ａが先端に取付けられた時車ないし筒車１６ａ、分針１１ｂが先端に取付けられた分車１６ｂ、秒針１１ｃが先端に取付けられた秒車ないし四番車１６ｃは、地板６や二番受７ａで支持された中心パイプ７ｂを介して、中心軸線Ｃのまわりで回転自在に支持され、筒車１６ａの歯車部ないし筒歯車１７ａ、分車１６ｂの分歯車ないし二番歯車１７ｂ及び四番車１６ｃの歯車部ないし四番歯車１７ｃを相互に繋ぐと共に時計用ぜんまいを備えた香箱の如き駆動源（図示せず）に繋ぐ他の輪列を含む運針用輪列１７によって回転される。１７ｆはぜんまいの自動巻用の回転錘１７ｇを支えるボールベアリング部である。
【００３３】
図２に示した通り、第一及び第二日回し中間車３３，３４を介して筒車１６ａの筒歯車１７ａに日回し歯車部３１で噛合した日回し車３０は、中心軸線ＨのまわりでＨ１方向に１回転／日の速度で回転され、日回し爪３２で日車４０を反時計回りＣ２に間欠的に回転させる。
【００３４】
日車４０は、図２に加えて図４からわかるように、大径の環状板状の日表示車部４１と、該日表示車部４１の内縁から軸線方向に平行に延びた大径円筒状部４２ａと、該大径円筒状部４２ａの下端から径方向内向きに延びた小幅の鍔状部４２ｂと、該鍔状部４２ｂの内縁から軸線方向に平行に延びた小径厚肉円筒状部４２ｃと、該小径厚肉円筒状部４２ｃの下端側の内周縁に形成された日歯車部４５と、大径円筒状部４２ａの内周縁に形成された月送り歯４６とを有する。
【００３５】
月送り歯部４６は、二つの歯部４６ａ，４６ｂを含む。日表示車部４１の文字板側表面４１ａには、１〜３１までの３１個の日付を表す文字ＬＤが等間隔に表示されている。日歯車部４５は、３１個の歯部４７を等間隔に備える。この例では、特定の隣接する歯部４７ａ，４７ｂの間に切欠部４８を有する。切欠部４８は、歯部４７と概ね同程度の周方向幅を有する。日車４０のＣ２方向回転は、日躍制爪部２２ａ、日躍制バネ部２２ｂを備える日ジャンパ２２によって規正される。図４〜図６からわかるように、日車４０の厚さ方向の位置ズレは、日歯車部４５を覆うように地板６に取付けられた日車押さえ２１によって規制されている。
【００３６】
日車４０の月送り歯部４６は、月伝え車５０を介して月車６０を中心軸線ＣのまわりでＣ１方向に回転させる。
【００３７】
月伝え車５０は、図２からわかるとおり、中心軸線Ｊのまわりで回転自在な歯車５１からなり、歯車５１の歯５２は、日車４０の月送り歯部４６の歯部４６ａ，４６ｂと係合した際に、該歯部４６ａ，４６ｂの夫々によって一歯分だけＪ１方向にされる。この例では、月送り歯部４６が二つの歯部４６ａ，４６ｂを含むので、月伝え車５０は、一月に二歯分だけＪ１方向に回転される。
【００３８】
月車ないし月表示車６０は、図４の如き断面説明図及び図２の如き平面説明図からわかるように、筒車１６ａの筒状部１６ａ１が遊嵌され日車押さえ２１に固定された月表示車案内パイプ６１と、ハブ部６２で該案内パイプ６１に回転自在に嵌合され外周にカム面６３が形成された月カム６４と、月カム６４に嵌着され２４個の歯部６５を備えた月歯車６６と、該月歯車６６に固定された月表示板部６７とを有する。
【００３９】
月カム６４のカム面６３は、一ヶ月が３１日である大の月に対応する小径円弧状カム面６３ａと、一ヶ月が３０日以下である小の月に対応する大径円弧状カム面６３ｂとを有する。
【００４０】
月歯車６６は月伝え車５０と噛合し、月伝え車５０が一ヶ月当たり二歯分回転される毎に二歯分回転され、中心軸線ＣのまわりでＣ１方向に、一年で一回転される。
【００４１】
月表示板部６７の文字板側表面６７ａには、１月から１２月までの月を表す文字ＬＭが二つずつ（全体で総計２４個）等間隔に表示されている。月表示板部６７は、図４等からわかるように日車４０の日表示車部４１の内周縁よりも僅かに小径の外周縁を備える。従って、月表示板部６７の文字板側表面６７ａにある月を表す文字ＬＭが日表示車部４１の文字板側表面４１ａにある日を表す文字ＬＤよりも僅かに中心軸線Ｃに近い側で文字板１２の月日表示窓１３内の所定の領域１３ａ，１３ｂにおいて月日として表示される。
【００４２】
月車６０のＣ１方向回転は、月躍制爪部２４ａ、月躍制バネ部２４ｂを備える月ジャンパ２４によって規正される。図４〜図６からわかるように、月車６０の厚さ方向の位置ズレは、月カム６４の文字板側への変位を規制するように月表示車案内パイプ６１に取付けられた月車押さえ２３によって規制されている。
【００４３】
オートカレンダ機構１は、月カム６４に加えて、作動レバー７０及び駆動レバー構造体４を有する。
【００４４】
作動レバー７０は、図２に示したように、軸７１の中心軸線ＥのまわりでＥ１，Ｅ２方向に回動可能な腕部７２と、先端の歯状被係合部７３と、腕部７２をＥ２方向に偏倚させるバネ部７４とを有する。腕部７２は、概ね真っ直ぐな腕部本体部７５と該腕部本体部７５の先端から歯状被係合部７３の基端まで延びた「く」の字状の接続腕部７６とからなる。軸７１は、図４に示したように、日表示車部４１に嵌着されたピンからなり、該ピン７１は小径部７１ａで腕部７２の本体部７５の孔７７に回転自在に嵌合されている。作動レバー７０は、図４の断面説明図からわかるように、時計２の厚さ方向に見て、日車４０の日歯車部４５の歯部４７や日回し車３０の日回し爪３２と概ね同じ厚さ方向位置であって、且つ日車押さえ２１と駆動レバー構造体４の後述する第二駆動レバー９０の円弧状腕部９２との間に位置する。
【００４５】
バネ部７４は、先端部７４ａで日車４０の小径厚肉円筒状部４２ｃの外周面に当接し、通常は、作動レバー７０の腕部７２及び歯状被係合部７３をＥ２方向に偏倚した通常送り許容位置としての非係合位置ないし後退位置Ｐ１（例えば図２）に設定する。歯状被係合部７３は、日車４０の切欠部４８に丁度臨む位置にあり、作動レバー７０がＥ１方向に回動偏倚された場合、歯状被係合部７３は、例えば後述の図８の（ａ）等に示すような事前送り許容位置としての係合位置ないし突出位置Ｐ２に設定される。
【００４６】
駆動レバー構造体４は、第一の駆動レバー８０と、第二の駆動レバー９０とからなる。
【００４７】
第一の駆動レバー８０は、円弧状の腕部８１と、該円弧状腕部８１の中間部８１ａから概ね径方向外向きに延びた直線状腕部８２とを含む。円弧状腕部８１は、中間部８１ａよりも基端側に位置する基端側円弧状腕部８３と、中間部８１ａよりも先端側に位置する先端側円弧状腕部８４とからなる。基端側円弧状腕部８３の基端部には概ね径方向内向きに延びたカム従節部８５が形成されている。直線状腕部８２は、ピン８６を介して中心軸線Ａの回りでＡ１，Ａ２方向に回動自在である。ピン８６は、図４に示したように、大径部において日車押さえ２１に取付けられている。第一駆動レバー８０は、先端側円弧状腕部８４の先端部８４ａに第二駆動レバー９０の基端側と係合する係合凹部８７を有する。第一駆動レバー８０は、図４及び図５の断面説明図からわかるように、時計２の厚さ方向に見て、日車押さえ２１と月車６０の月歯車６６との間であって月カム６４と実際上同一のところに位置する。
【００４８】
第二の駆動レバー９０は、直線状腕部９１と、円弧状腕部９２と、バネ部９３とを有し、円弧状腕部９２の一端部９２ａの回転中心軸線ＢのまわりでＢ１，Ｂ２方向に回動可能である。より詳しくは、第二駆動レバー９０は、図６に示したように、地板６に螺着されたピン９４に端部９２ａにある孔部９５で回動可能に嵌合されている。第二駆動レバー９０の円弧状腕部９２は、図４〜図６の断面説明図からわかるように、時計２の厚さ方向に見て、地板６のレバー配設作動用凹部内において、作動レバー７０の腕部７２よりも僅かに裏蓋側（文字板１２から遠い側）に位置する。
【００４９】
直線状腕部９１は、一端部９１ａにピン状係合部９６を備え、該ピン状係合部９６において、第一駆動レバー８０の係合凹部８７に係合されている。直線状腕部９１は、他端部９１ｂで円弧状腕部９２の中間部９２ｂにつながっている。バネ部９３は、基端部９３ａにおいて円弧状腕部９２の端部９２ａの側縁９２ｃにつながり、先端部９３ｂにおいて地板６の如き静置部材の壁部６ｂに係止されていて、第二駆動レバー９０にＢ２方向の偏倚力を及ぼす。従って、第一駆動レバー９０は、ピン状係合部９６と第一駆動レバー８０の係合凹部８７との係合を介して、第一駆動レバー８０に対して、Ａ１方向偏倚力を及ぼし、第一駆動レバー８０のカム従節部８５を月カム６４のカム面６３に押付ける。
【００５０】
第二駆動レバー９０の円弧状腕部９２は、もう一方の端部（先端部）９２ｄにピン状押圧部９７を備える。第一駆動レバー８０のカム従節部８５が月カム６４のカム面６３のうち小の月のカム面６３ｂによって押されて、第一駆動レバー９０がＡ２方向に回動されると、係合部８７，９６間の係合を介して、第二駆動レバー９０がＢ１方向に回動され、第二駆動レバー９０のピン状押圧部９７が、作動レバー７０の腕部本体部７５の外側面７８を押して、先端の歯状被係合部７３を通常送り許容位置としての後退位置Ｐ１から事前送り許容位置としての突出位置Ｐ２へとＥ１方向に回動変位させる。
【００５１】
従って、大の月においては、月車６０の回転に伴い駆動レバー構造体４の第一駆動レバー８０のカム従節部８５が月カム６４の小径円弧状カム面部６３ａに当接するので、駆動レバー構造体４の第一駆動レバー８０がＡ１方向に回動した大の月位置Ｑ１を採る。このとき、第一駆動レバー８０の係合凹部８７が後退するので、バネ部９３のバネ力の作用下で第二駆動レバー９０のピン状係合部９６のある直線状腕部９１及びこれと一体的な円弧状腕部９２がＢ２方向に回動変位される。その結果、駆動レバー構造体４の第二駆動レバー９０の腕部９２の先端部にあるピン状押圧部９７が、図３等に示したように、作動レバー７０の軌跡（日車４０がＣ２方向に回転される際において該日車４０に取付けられ通常送り許容位置としての後退位置Ｐ１にある作動レバー７０の外側面部７８が通る軌跡）の外に位置する。より詳しくは、第二駆動レバー９０は、そのピン状押圧部９７が、少なくとも、日回し爪３２が走査される角度領域においては、作動レバー７０の軌跡（日車４０がＣ２方向に回転される際において該日車４０に取付けられ後退位置Ｐ１にある作動レバー７０の外側面部７８が通る軌跡）の外に位置する大の月位置Ｓ１を採る。従って、大の月においては、駆動レバー構造体４は、実際上作動レバー７０を駆動変位しない。
【００５２】
一方、小の月においては、駆動レバー構造体４の第一駆動レバー８０のカム従節部８５が月カム６４の大径円弧状カム面部６３ｂに当接するので、駆動レバー構造体４の第一駆動レバー８０がＡ２方向に回動した小の月位置Ｑ２を採る。このとき、第一駆動レバー８０の係合凹部８７が第二駆動レバー９０のピン状係合部９６をバネ部９３のバネ力に抗して押すので、第二駆動レバー９０のピン状係合部９６のある直線状腕部９１及びこれと一体的な円弧状腕部９２がＢ１方向に回動変位される。その結果、駆動レバー構造体４の第二駆動レバー９０の腕部９２の先端部にあるピン状押圧部９７が、図２等に示したように、作動レバー７０の軌跡（日車４０がＣ２方向に回転される際において該日車４０に取付けられた作動レバー７０が通常送り許容位置としての後退位置Ｐ１にある場合にその外側面部７８が通る軌跡）内に位置する。より詳しくは、第二駆動レバー９０は、そのピン状押圧部９７が、日回し爪３２が走査される角度領域において、作動レバー７０の軌跡（日車４０がＣ２方向に回転される際において該日車４０に取付けられた作動レバー７０が後退位置Ｐ１にある場合にその外側面部７８が通る軌跡）内に位置する小の月位置Ｓ２を採る。従って、小の月においては、駆動レバー構造体４は、作動レバー７０が日回し爪３２の走査領域に入ると作動レバー７０を駆動変位させる。
【００５３】
次に、以上の如く構成されたオートカレンダ機構１を備えた時計２のカレンダ機構１の動作について、説明する。
【００５４】
例えば、５月の如く一月が３１日ある大の月においては、図３に示したように、駆動レバー構造体４の第一駆動レバー８０は、第二駆動レバー９０のバネ部９３のバネ力の作用下でＡ１方向に回動されてカム従節部８５が月車６０の月カム６４の小径カム面６３ａに当接する大の月位置Ｑ１を採る。これに応じて、係合部８７，９６間の係合を介して第二駆動レバー９０がＢ２方向に回動した大の月位置Ｓ１を採り、第二駆動レバー９０のピン状押圧部９７が、実際上、作動レバー７０の回転軌跡の外側に位置する。従って、作動レバー７０は、日車４０の回転位置にかかわらず、図３に示したように、バネ部７４のバネ力の作用下で実際上Ｅ２方向に偏倚した通常送り許容位置としての後退位置Ｐ１を採り、作動レバー７０の歯状被係合部７３が日車４０の切欠部４８から径方向内向きに突出することはない。
【００５５】
その結果、日車４０の回転位置にかかわらず、日回し爪３２が一日に一回転される際に、より詳しくは日変りのときに、日歯車４５の最近接位置にある歯部４７に係合して日歯車４５を一歯分だけ反時計回りＣ２に間欠回転させる。この動作は、３１日間（五月の間中毎日）実際上同じである。
【００５６】
なお、月末近くになると、日車４０の月送り歯４６が月伝え車５０の歯５２に係合して月伝え車５０をＪ１方向に回し、該月伝え車５０が月歯車６６を回して、月表示車６７の月表示を進める。この例では、２９日から３０日に変るところで前側の月送り歯４６ａが月伝え車５０を介して月車６０を一歯分だけ回し、更に、月変わりになるところ（３１日から１日に変るところ）で、後側の月送り歯４６ｂが月伝え車５０を介して月車６０を一歯分だけ回して、月車６０の月表示車６７による月表示を、例えば、５月（ＭＡＹ）から６月（ＪＵＮ）に変える。
【００５７】
一方、例えば、４月の如く一月が３０日ある小の月においては、前述の通り、例えば図２や図７の（ａ）に示したように、駆動レバー構造体４の第一駆動レバー８０は、第二駆動レバー９０のバネ部９３のバネ力に抗してＡ２方向に回動されてカム従節部８５が月車６０の月カム６４の大径カム面６３ｂに当接する小の月位置Ｑ２を採る。これに応じて、係合部８７，９６間の係合を介して第二駆動レバー９０がＢ１方向に回動した小の月位置Ｓ２を採り、第二駆動レバー９０のピン状押圧部９７が、作動レバー７０の回転軌跡の範囲内に入り込む。
【００５８】
駆動レバー構造体４を構成する第一及び第二駆動レバー８０，９０が小の月位置Ｑ２，Ｓ２にあるこの状態で、月初から日が経つにつれて、日回し車３０が一回転する毎に日回し爪３２が日車４０の日歯車４５の歯部４７を一日に一歯分だけ反時計回りＣ２に送り、文字板１２の月日窓１３内の日表示領域１３ｂに表示される日付が「１」から一つずつ増す。
【００５９】
図７の（ａ）に示したように、２９日の終り頃（この例では、例えば、２２時（午後１０時）４４分頃）になると、日回し爪３２が日歯車４５の最近接歯部４７に係合する。
【００６０】
この後、時の経過に伴う筒車１６ａの回転に応じた日回し車４０の回転により、図７の（ｂ）に示したように、日回し爪３２が日車４０をＣ２方向に回す。これに応じて、日車４０の月送り歯４６の前側の歯部４６ａが月伝え車５０の歯部５２に係合し始める直前状態に達し月車６０もＣ１方向に回し始める直前状態に達している。日車４０のＣ２方向回転により、図７の（ｂ）では、日ジャンパ２２の爪部２２ａの先端が歯部４７の頂点に達して日の切り替えが行われる直前の状態になっている。また、図７の（ｂ）では、日車４０と共にＣ２方向に回転された作動レバー７０の外側面７８が、作動レバー７０と干渉する小の月位置Ｓ２にある第二駆動レバー９０のピン状押圧部９７に当接する直前の状態になっている。
【００６１】
日ジャンパ２２が飛ぶと、図７の（ｂ）に示した状態から図８の（ａ）に示したように表示が４月３０日に変った直後の状態に移る。このとき、前側の月送り歯４６ａが月伝え車５０を介して月車６０を一歯分だけＣ１方向に回すので、カム従節部８５が月カム６４の大径カム面部６３ｂに沿って周方向に変位するけれども、カム従節部８５の径方向位置は変らないので、第一及び第二駆動レバー８０，９０は図７の（ｂ）の場合と実際上同じ位置Ｑ２，Ｓ２に留まる。
【００６２】
一方、ジャンパ２２が日歯車４５を半歯分だけＣ２方向に回すので、日歯車４５の歯４７は日回し爪３２から離れ、次の歯４７が日回し爪３２の背後に近い所定位置に達する。この歯４７は、切欠部４８を挟む前側の歯４７ａである。
【００６３】
なお、４月（小の月）の３０日の状態では、上記の日車４０の反時計回りＣ２の間欠回転に伴い作動レバー７０のうち径方向最外部に位置する外側面７８が該外側面７８のＣ２方向回転軌跡内に入り込んでいる第二駆動レバー９０のピン状押圧部９７に押し付けられるので、作動レバー７０がバネ部７４のバネ力に抗してＥ１方向に回動されると共に、作動レバー７０の先端の歯状被係合部７３が日車４０の日歯車４５の歯部４７ａ，４７ｂ間の切欠部４８に丁度嵌込む。このとき、作動レバー７０の先端の歯状被係合部７３は、図８の（ａ）及び（ｂ）に示したように、日車４０の日歯車４５を構成する通常の歯部４７よりも大きく半径方向内向きに突出し日回し爪３２の軌跡内に位置する事前送り許容位置としての突出位置Ｐ２を採る。なお、作動レバー７０の先端の歯状被係合部７３のこの突出位置Ｐ２が日回し爪３２の軌跡内であって作動レバー７０の先端の歯状被係合部７３が日回し爪３２と係合し得る限り、作動レバー７０の先端の歯状被係合部７３の突出量は日歯車４５の歯部４７の突出量よりも大きい代わりに該歯部４７の突出量と同程度でも歯部４７の突出量よりも多少小さくてもよい。
【００６４】
この後、時間の経過と共に筒車１６ａが回り、それに応じて、日回し車３０がまわって、図８の（ｂ）に示したように、日回し爪３２が概ね一周して切欠部４８内に突出した作動レバー７０の歯状被係合部７３に噛合い始める。この例では、これは、例えば、２１時１９分頃である。即ち、４月３０日の午後９時２０分頃になると、通常の日回し開始時刻（この例では、上述のように、午後１０時４５分頃）よりも多少早いものの概ね同程度の時間帯に日送り動作が開始されることになる。すなわち、この例では、日回し爪３２が日車４０に取付けられた作動レバー７０の歯状被係合部７３に係合してこれを送ることにより、日車４０をＣ２方向に回すことになる。
【００６５】
図９の（ａ）では、日回し爪３２が日歯車４５の歯部４７ａ，４７ｂ間において切欠部４８内に挿入された作動レバー７０の歯状被係合部７３に係合した状態における日車４０のＣ２方向回転が進んで、日ジャンパ２２が飛ぶ寸前の状態が示されている。ここで、作動レバー７０の歯状被係合部７３は、通常ならば日回し爪３２によって送られることになる歯部４７ａよりも上流側において日回し爪３２と係合することから、通常よりも多少（この例では１時間半程度）早めに日車４０の送りが開始され、通常よりも早く日ジャンパ２２の躍制爪部２２ａが係合位置にある歯部４７に対して飛ぶことになる。なお、この状態では、後側の月送り歯４６ｂは月伝え車５０の歯５２のところに達していないので、月送りは行われない。
【００６６】
日ジャンパ２２が飛ぶと、その直後は、図９の（ｂ）に示したような状態になる。すなわち、駆動レバー構造体４を構成する第一及び第二駆動レバー８０，９０は実際上同じ位置Ｑ２，Ｓ２に留まるけれども、日車４０のＣ２方向回転に伴い、日歯車４５のうち、作動レバー７０の歯状被係合部７３の直後（上流側）にある歯部４７ｂの前縁４７ｂ１が日回し爪３２の先端部の後縁３２ｂにぶつかって日回し爪３２に対してＦ方向の力を及ぼす。日歯車４５の歯部４７ｂは、更に、日回し爪３２をＦ方向に後退させながら日回し爪３２をＣ２方向に追越す追越動作を開始する。
【００６７】
日ジャンパ２２の前記の飛び（飛躍）動作が完了する直前の時点においては、図１０の（ａ）に示したように、日歯車４５のうち切欠部４８の後側の歯部４７ｂの前縁４７ｂ１の先端が日回し爪３２の後縁３２ｂの先端に当たる状態になる。この間、駆動レバー構造体４を構成する第一及び第二駆動レバー８０，９０は実際上同じ位置Ｑ２，Ｓ２に保たれる。一方、日車４０のＣ２方向回転に伴い第二駆動レバー９０のピン状押圧部９７が作動レバー７０の外側面７８のうち径方向内側に後退した外側面部７８ａに係合するようになるので、作動レバー７０はＥ２方向に回動されて、その歯状被係合部７３が切欠部４８から抜けた通常送り許容位置としての後退位置Ｐ１に戻る。
【００６８】
日ジャンパ２２の飛び動作が完了する時点においては、図１０の（ｂ）に示したように、切欠部４８の後側の歯部４７ｂが日回し爪３２を完全に追い越した位置（被日送り位置）で日ジャンパ２２によって規正された状態になる。このとき、日回し爪３２は被日送り位置に達した日歯車４５の歯部４７ｂの背後に位置することになるので、日回し車３０のＨ１方向回転により歯部４７ｂを日送り可能になる。なお、駆動レバー構造体４を構成する第一及び第二駆動レバー８０，９０は実際上同じ位置Ｑ２，Ｓ２に保たれ、作動レバー７０も歯状被係合部７３が切欠部４８から抜けた通常送り許容位置としての後退位置Ｐ１に保たれる。
【００６９】
時の経過に伴う筒車１６ａの回転に応じて、日回し車３０がＨ１方向に回り、図１１の（ａ）に示したように、日回し爪３２が被日送り位置にある日歯車４５の歯４７ｂを送り始める。この時点は、この例では、２２時（午後１０時）４４分である。このとき、日車４０のＣ２方向回転により、後側の月送り歯４６ｂが月伝え車５０の歯部５２に噛合う直前の状態にあり、この後、日送りの進行と同時に月送りが進行することになる。一方、この間、駆動レバー構造体４を構成する第一及び第二駆動レバー８０，９０は実際上同じ位置Ｑ２，Ｓ２に保たれ、作動レバー７０も歯状被係合部７３が切欠部４８から抜けた通常送り許容位置としての後退位置Ｐ１に保たれる。
【００７０】
日回し車３０の日回し爪３２による日送り即ち日車４０の日歯車４５の歯４７ｂの送りが進行して、日車４０が日歯車４５の半ピッチ分だけ回転すると、図１１の（ｂ）に示した状態になる。このとき、日ジャンパ２２の躍制爪部２２ａの先端が日歯車４５の最近接歯部４７の実際上先端ないし頂点に当接する状態にある。
【００７１】
この状態では、日車４０のＣ２方向回転に伴い日車４０の後側の月送り歯４６ｂが歯５２に係合し月伝え車５０をＪ１方向に回転させて月車６０をＣ１方向に回す。これにより、第一駆動レバー８０のカム従節部８５が月カム６４の大径円弧状カム面６３ｂの端から外れ、バネ部９３の作用下で、Ａ１方向に回動して月カム６４の小径円弧状カム面６３ａに当接する大の月状態ないし位置Ｑ１になり、これに応じて、第二駆動レバー９０もＢ２方向に回動されて、大の月位置Ｓ１に戻り、ピン状押圧部９７が作動レバー７０の軌跡から完全に外れる。従って、図１１の（ｂ）の状態では、日車４０による日表示が「３１」と「１」との中間に達し、月車６０による月表示も「四月（ＡＰＲ）」と「五月（ＭＡＹ）」との中間に達している。なお、作動レバー７０は歯状被係合部７３が切欠部４８から抜けた通常送り許容位置としての後退位置Ｐ１に保たれる。
【００７２】
日ジャンパ２２の躍制爪部２２ａが飛び（飛躍）動作を完了して次の歯４７，４７の間に落ちて日歯車４５を規正すると、図１２に示した状態になる。この状態では、日車４０のＣ２方向回転に伴い日表示が、文字板１２の月日窓１３の日表示領域１３ｂにおいて「３１」と「１」との中間を示す状態から完全に「１」を示す状態に変わる。一方、日車４０のＣ２方向回転に伴う月送り歯４６ｂのＣ２方向回転により、月伝え車５０もＪ１方向に回転して、月車６０をＣ１方向に回転させ、これに応じて月車６０の月表示板６７もＣ１方向に回転して、月表示も、文字板１２の月日窓１３の月表示領域１３ａにおいて「四月（ＡＰＲ）」と「五月（ＭＡＹ）」との中間を示す状態から完全に「五月（ＭＡＹ）」を示す状態に変わる。この間、駆動レバー構造体４を構成する第一及び第二駆動レバー８０，９０は実際上同じ大の月位置Ｑ１，Ｓ１に保たれ、作動レバー７０も歯状被係合部７３が切欠部４８から抜けた通常送り許容位置としての後退位置Ｐ１に保たれる。これにより、完全に、大の月を表示する状態（この例では、５月１日を表示する状態）になる。その後は、図３に関して説明したように、大の月の日送りが繰返される。
【００７３】
なお、大の月から小の付月に移る場合、図１３の（ａ）及び（ｂ）において例示したように、月変わりのタイミングにおいて、月車６０のＣ１方向回転に応じて駆動レバー構造体４の第一駆動レバー８０のカム従節部８５が月カム６４の大の月に対応する小径円弧状部６３ａから小の月に対応する大径円弧状部６３ｂに移り、これにより、第一駆動レバー８０がバネ部９３のバネ力に抗してＡ２方向に回動されて小の月位置Ｑ２を採り、更に、第二駆動レバー９０がバネ部９３のバネ力に抗してＢ１方向に回動されて小の月位置Ｓ２を採る。これにより、第二駆動レバー９０のピン状押圧部が作動レバー７０のＣ２方向回転軌跡内に入り、小の月の月末処理の準備ができる。その他の点は、図３に関連して説明した通りである。
【００７４】
なお、カレンダ機構付時計２は、手動カレンダ修正機構５として、日修正位置Ｕ１と月修正位置Ｕ２との間でＶ１，Ｖ２方向に揺動可能な揺動車２５、月修正車２６及び修正伝え車２７を有する。りゅうず１５を引いて巻真１８を一段引出した巻真一段目において、巻真１８を一方向に回すと、修正伝え車２７を介して揺動車２５が日修正位置Ｕ１にＶ１方向に移動されて日歯車４５と噛合され、巻真１８の前記一方向の回転に応じて日車４０がＣ２方向に回転されて日修正が行われる。一方、巻真一段目において、巻真１８を逆方向に回すと、揺動車２５が月修正位置Ｕ２にＶ２方向に移動されて月歯車６６と噛合され、巻真１８の前記逆方向の回転に応じて月車６０がＣ１方向に回転されて月修正が行われる。
【００７５】
図１４から図１８には、本発明の好ましい別の一実施例のカレンダ機構としてのオートカレンダ機構１Ａを備えた時計、即ち、カレンダ機構付時計２Ａが示されている。図１４から図１８に示したカレンダ機構１Ａ付きの時計２Ａにおいて、図１から図１３に示したカレンダ機構１付きの時計２の要素と比較して、同じ要素には同一の符号が付され、対応するけれども異なるところのある要素には対応する符号の後に添字Ａが付されている。
【００７６】
時計２Ａのオートカレンダ機構１Ａでは、例えば図１４及び図１５に示したように、日車４０Ａの日歯車４５Ａが、剛性の日回し爪３２Ａによって３１日に送られるべき歯４７ｃに重なる周方向位置において歯４７ｃの裏蓋側面及び小径厚肉円筒状部４２ｃＡに切欠部４８Ａを備える。なお、日回し爪３２Ａは、時計２のオートカレンダ機構１の日回し爪３２と同様に弾性的に撓み得る腕部を備えていてもよい。
【００７７】
また、時計２Ａのオートカレンダ機構１Ａでは、図１４に示したように、作動レバー７０Ａは、歯状被係合部７３Ａが歯４７ｃのところにある切欠部４８Ａに嵌り込むような周方向位置で回動可能に日車４０Ａに取付けられた腕部７２とバネ部７４とを有する。歯状被係合部７３Ａは、切欠部４８Ａ内に挿入された際に、その先端部７３Ａａが歯４７ｃの先端部よりも径方向内向きに大きく突出するように長く形成されている。
【００７８】
その他の点では、時計２Ａのオートカレンダ機構１Ａは、時計２のオートカレンダ機構１と実際上同様に形成されている。
【００７９】
以上の如く構成された本発明の好ましい別の一実施例のカレンダ機構付時計２Ａのオートカレンダカレンダ機構１Ａでは、小の月の月末には、次のような動作が行われる。
【００８０】
図１６の（ａ）は、最初の実施例のカレンダ機構付時計２のオートカレンダカレンダ機構１についての図７の（ａ）に対応する状態を示し、例えば、４月２９日から４月３０日への日替わりが始まる直前の状態である。この状態では、駆動レバー構造体４の第一及び第二駆動レバー８０，９０は、夫々、小の月用の位置Ｑ２，Ｓ２に位置するけれども、作動レバー７０Ａはまだ通常送り許容位置としての後退位置Ｐ１Ａに位置する。
【００８１】
図１６の（ｂ）は、オートカレンダカレンダ機構１についての図７の（ｂ）に対応する状態を示し、例えば、４月２９日から４月３０日への表示の日替わり進行している状態である。この状態でも、駆動レバー構造体４の第一及び第二駆動レバー８０，９０は、夫々、小の月用の位置Ｑ２，Ｓ２に位置するけれども、作動レバー７０Ａはまだ通常送り許容位置としての後退位置Ｐ１Ａに位置する。
【００８２】
この状態では、駆動レバー構造体４の第二駆動レバー９０が小の月用の位置Ｓ２に設定され、ピン状押圧部９７が作動レバー７０ＡのＣ２方向回転軌跡内にＢ１方向に入り込んでいるので、日車４０ＡのＣ２方向回転により、作動レバー７０Ａの外側面７８がピン状押圧部９７のところに達すると、作動レバー７０Ａがピン状押圧部９７によってＥ１方向に押され得るようになり、作動レバー７０Ａの歯状被係合部７３Ａが切欠部４８Ａを通って径方向内向きに突出し得るようになる。
【００８３】
図１７の（ａ）は、４月３０日から次の日への日送りが開始される際の時計２Ａのカレンダ機構１Ａの状態を示す。この時点では、作動レバー７０Ａがピン状押圧部９７によってＥ１方向に押されて、作動レバー７０Ａの長い歯状被係合部７３Ａが切欠部４８Ａに挿入され、且つその先端部７３Ａａが重なる位置にある歯４７ｃよりも大きく径方向内向きに突出した事前送り許容位置としての位置Ｐ２Ａに設定されている。従って、日回し車３０Ａの日回し爪３２Ａが本来の日送り位置にある歯部４７ｄよりも一歯分だけ上流側に位置する歯部４７ｃの位置において大きく突出した歯状被係合部７３Ａの先端部７３Ａａと係合して、これをＣ２方向に送り始める。この状態は、時計２のカレンダ機構１の場合の図８の（ｂ）の状態に概ね対応する。但し、送りが開始される時刻はこの例では例えば１９時（午後７時）頃で、図８の（ｂ）の場合よりも２．５時間程度早くなる。
【００８４】
その後、筒車１６ａの回転に伴う日回し車３０Ａの回転に応じて歯状被係合部７３Ａの先端部７３Ａａで日車４０ＡのＣ２方向回転ないし日送りが進行し、図１７の（ｂ）に示したように日ジャンパ２２が飛ぶ直前の状態に達する。これは、小の月（この例では４月）の終りの日である３０日において、大の月（この例では５月）の１日に移る際に行われる二日分の日送りの最初の一日分の日送り（「３０」日から「３１」日への日送り）の丁度中間の状態であって、時計２のカレンダ機構１の場合の図９の（ａ）の状態に概ね対応する。
【００８５】
次に、日ジャンパ２２による飛び（飛躍）及び隣接歯４７，４７間への落ち込みによる規正動作が行われる。このとき、日車４０Ａの日歯車４５Ａは、Ｃ２方向に概ね半ピッチ分回転して、「３１」が月日窓１３の日表示領域１３ｂに表示される図１８の（ａ）に示した状態になる。この状態は、時計２のカレンダ機構１の場合の図１０の（ｂ）の状態に概ね対応する（但し、図１７の（ａ）に関連して説明したように日回し車４０Ａの位置は図１０の（ｂ）の日回し車４０の位置とは多少異なる）。
【００８６】
この状態では、作動レバー７０Ａの外側面７８の後退（凹状）外側面部７８ａが第二駆動レバー９０のピン状押圧部９７に接触するようになるので、作動レバー７０Ａは、バネ部７４の作用下で歯状被係合部７３Ａが切欠部４８Ａを通って突出する事前送り許容位置としての位置Ｐ２Ａから切欠部４８Ａの手前側に引いた通常送り許容位置としての位置Ｐ１ＡにＥ２方向に回動して後退する。一方、日歯車４５ＡのＣ２方向の半ピッチ分の回転により、切欠部４８Ａのある歯部４７ｃが日回し車３０Ａの日回し爪３２Ａよりも先行して次に日送りされるべき位置に落ち着く。
【００８７】
その後、筒車１６ａの回転に伴う日回し車３０Ａの回転に応じて、図１８の（ｂ）に示したように、日回し爪３２Ａが被日送り位置にある歯４７ｃに係合して該歯４７ｃを送り始めると共に、日車４０Ａの後側の月送り歯４６ｂが月伝え車５０を介して月車６０を回して月送りを始める。これにより、月日窓１３の日領域１３ｂの日表示が、「３１」日から「１」日に変わると共に、月領域１３ａの月表示が、「四月（ＡＰＲ）」から「五月（ＭＡＹ）」に変わる。これは、時計２のカレンダ機構１の場合の図１１の（ａ）の状態に概ね対応する。小の月におけるこれ以後の動作は、時計２のカレンダ機構１の場合と同様である。
【００８８】
また、大の月においては、月カム６４の小径円弧状部６３ａにカム従節部８５が当接するので、駆動レバー構造体４の第一及び第二のレバー８０，９０が夫々Ａ１，Ｂ２方向に回動した大の月位置Ｑ１，Ｓ１を採って、ピン状押圧部９７が作動レバー７０ＡのＣ２方向回転軌跡から完全に外れるので、作動レバー７０Ａも常時Ｅ２方向に回動して歯状被係合部７３Ａが切欠部４８Ａから完全に後退した通常送り許容位置としての位置Ｐ１Ａを採るから、日回し車３０Ａの日回し爪３２Ａは、日歯車部４５Ａの３１個の歯部４７を順に送る点で、時計２のカレンダ機構１の場合と同様である。大の月から小の月に移る場合の動作も、基本的には、時計２のカレンダ機構１の場合と同様である。
【００８９】
図１９から図２３には、本発明の好ましい更に別の一実施例のカレンダ機構としてのオートカレンダ機構１Ｂを備えた時計、即ち、カレンダ機構付時計２Ｂが示されている。図１９から図２３示したカレンダ機構１Ｂ付きの時計２Ｂにおいて、図１から図１３に示したカレンダ機構１付きの時計２の要素や図１４から図１８に示したカレンダ機構１Ａ付きの時計２Ａの要素と比較して、同じ要素には同一の符号が付され、対応するけれども異なるところのある要素には対応する符号（但し最後にＡがある場合にはＡを除く）の後に添字Ｂが付されている。
【００９０】
時計２Ｂのオートカレンダ機構１Ｂでは、例えば図１９に示したように、図１４等に示した時計２Ａのオートカレンダ機構１Ａの場合と同様に、日車４０Ｂの日歯車４５Ｂが、剛性の日回し爪３２Ａによって３１日に送られるべき部分の歯を欠き該部分（周方向領域）に切欠部４８Ｂが形成されている。この場合も、日回し爪３２Ａは、時計２のオートカレンダ機構１の日回し爪３２と同様に弾性的に撓み得る腕部を備えていてもよい。
【００９１】
また、時計２Ｂのオートカレンダ機構１Ｂでは、図２０や図２１に示したように、作動レバー７０Ｂが外側面部７８において駆動レバー構造体４の第二駆動レバー９０のピン状押圧部９７によって押されてＥ１方向に回動した事前送り許容位置としての位置Ｐ２Ｂを採る場合に、作動レバー７０Ａの場合と同様に、径方向内向きに日歯車４５Ｂの通常の歯４７よりも大きく突出するように長い歯状被係合部７３Ｂを備える。
【００９２】
オートカレンダ機構１Ｂの作動レバー７０Ｂは、駆動レバー構造体４の第二駆動レバー９０のピン状押圧部９７が外側面部７８に接触しない領域に径方向外向きに後退している場合、オートカレンダ機構１Ａの作動レバー７０Ａと異なり、図２２や図２３に示したように、歯状被係合部７３Ｂが日歯車４５Ｂの通常の歯４７と丁度同じような径方向位置まで切欠部４８Ｂから径方向内向きに突出する状態を採るように、歯状被係合部７３Ｂやバネ部７４Ｂが形成されている。
【００９３】
その他の点では、時計２Ｂのオートカレンダ機構１Ｂは、時計２のオートカレンダ機構１や時計２Ａのオートカレンダ機構１Ａと実際上同様に形成されている。
【００９４】
以上の如く構成された本発明の好ましい更に別の一実施例のカレンダ機構付時計２Ｂのオートカレンダカレンダ機構１Ｂでは、小の月の月末には、次のような動作が行われる。
【００９５】
図１９は、カレンダ機構付時計２のオートカレンダカレンダ機構１についての図７の（ａ）に対応し、カレンダ機構付時計２Ａのオートカレンダカレンダ機構１Ａについての図１６の（ａ）に対応する状態を示し、例えば、４月２９日から４月３０日への日替わりが始まる直前の状態である。この状態では、駆動レバー構造体４の第一及び第二駆動レバー８０，９０は、夫々、小の月用の位置Ｑ２，Ｓ２に位置するけれども、作動レバー７０Ａはまだ通常送り許容位置としての後退位置Ｐ１Ｂに位置する。
【００９６】
この状態で、日送りが行われて「３０」日になる。このとき、位置Ｓ２に位置する第二駆動レバー９０のピン状押圧部９７に作動レバー７０Ｂの外側面７８が押し付けられて作動レバー７０ＢがＥ１方向に回動されて事前送り許容位置としての位置Ｐ２Ｂに設定され、該作動レバー７０Ｂの歯状被係合部７３Ｂが日車４０Ｂの日歯車４５Ｂの切欠部４８Ｂを通って径方向内向きに大きく突出する。
【００９７】
この３０日の状態で且つ筒車１６ａの回転に伴う日回し車３０Ａの回転によって日回し爪３２Ａが作動レバー７０Ｂの大きく突出した歯状被係合部７３Ｂの先端部７３Ｂａに当たって日送りを始める状態が、図２０に示されている。この状態は、カレンダ機構付時計２Ａのオートカレンダカレンダ機構１Ａについての図１７の（ａ）に示した状態（従って、カレンダ機構付時計２のオートカレンダカレンダ機構１についての概ね図８の（ｂ）の状態）に対応する。すなわち、日回し車３０Ａの日回し爪３２Ａが本来の日送り位置にある歯部４７ｄよりも一歯分だけ上流側に位置する周方向位置において大きく突出した歯状被係合部７３Ｂの先端部７３Ｂａと係合して、これをＣ２方向に送り始める。この送りが開始される時刻はカレンダ機構付時計２Ａのオートカレンダカレンダ機構１Ａの場合と同様に、例えば１９時（午後７時）頃で、図８の（ｂ）の場合よりも２．５時間程度早くなる。
【００９８】
その後、筒車１６ａの回転に伴う日回し車３０Ａの回転に応じて歯状被係合部７３Ｂの先端部７３Ｂａで日車４０ＢのＣ２方向回転ないし日送りが進行し、時刻はカレンダ機構付時計２Ａのオートカレンダカレンダ機構１Ａについて図１７の（ｂ）に示したのと同様に、図２１に示した状態（日ジャンパ２２が飛ぶ直前の状態）に達する。これは、前述の通り、小の月（この例では４月）の終りの日である３０日において、大の月（この例では５月）の１日に移る際に行われる二日分の日送りの最初の一日分の日送り（「３０」日から「３１」日への日送り）の丁度中間の状態で、時計２のカレンダ機構１の場合の図９の（ａ）の状態に概ね対応する。
【００９９】
次に、日ジャンパ２２による飛び（飛躍）及び隣接歯４７，４７間への落ち込みによる規正動作が行われ、日車４０Ｂの日歯車４５ＢがＣ２方向に概ね半ピッチ分回転して「３１」が月日窓１３の日表示領域１３ｂに表示される。この状態では、作動レバー７０Ｂの外側面７８の後退（凹状）外側面部７８ａが第二駆動レバー９０のピン状押圧部９７に対面するようになりピン状押圧部９７に接触しなくなるので、作動レバー７０Ｂは、バネ部７４Ｂの作用下で歯状被係合部７３Ｂの先端部７３Ｂａが日歯車４５Ｂの通常の歯部４７と実際上同じ径方向突出位置になる。一方、日歯車４５ＢのＣ２方向の半ピッチ分の回転により、切欠部４８Ｂにおいて通常の歯部４７と実際上同じ突出状態を取っている歯状被係合部７３Ｂが日回し車３０Ａの日回し爪３２Ａよりも先行して次に日送りされるべき位置に落ち着く。
【０１００】
その後、筒車１６ａの回転に伴う日回し車３０Ａの回転に応じて、図２２に示したように、日回し爪３２Ａが被日送り位置にある歯７３Ｂに係合して該歯７３Ｂを送り始めると共に、日車４０Ｂの後側の月送り歯４６ｂが月伝え車５０を介して月車６０を回して月送りを始める。これにより、月日窓１３の日領域１３ｂの日表示が、「３１」日から「１」日に変わると共に、月領域１３ａの月表示が、「四月（ＡＰＲ）」から「五月（ＭＡＹ）」に変わる。これは、時計２Ａのカレンダ機構１Ａの場合の図１８の（ｂ）の状態ないし時計２のカレンダ機構１の場合の図１１の（ａ）の状態に概ね対応する。小の月におけるこれ以後の動作は、時計２Ａのカレンダ機構１Ａや時計２のカレンダ機構１の場合と同様である。
【０１０１】
大の月においては、月カム６４の小径円弧状部６３ａにカム従節部８５が当接するので、駆動レバー構造体４の第一及び第二のレバー８０，９０が夫々Ａ１，Ｂ２方向に回動した大の月位置Ｑ１，Ｓ１を採って、ピン状押圧部９７が作動レバー７０ＢのＣ２方向回転軌跡から完全に外れるので、作動レバー７０Ｂも常時Ｅ２方向に回動して歯状被係合部７３Ｂが切欠部４８Ｂから通常の歯４７と同じだけ突出する通常送り許容位置としての位置Ｐ１Ｂを採るから、日回し車３０Ａの日回し爪３２Ａは、日歯車部４５Ｂの３０個の歯部４７と同様に歯状被係合部７３Ｂを送る点で、結果的には、時計２Ａのカレンダ機構１Ａや時計２のカレンダ機構１の場合と同様である。大の月から小の月に移る場合の動作も、基本的には、時計２Ａのカレンダ機構１Ａや時計２のカレンダ機構１の場合と同様である。
【符号の説明】
【０１０２】
１，１Ａ，１Ｂ  カレンダ機構（オートカレンダ機構）
２，２Ａ，２Ｂ  カレンダ機構付時計
３  外観
４  駆動レバー構造体
５  手動カレンダ修正機構
６  地板
６ｂ  壁部
７ａ  二番受
７ｂ  中心パイプ
１１ａ  時針
１１ｂ  分針
１１ｃ  秒針
１２  文字板
１３  月日表示窓
１３ａ  月表示領域
１３ｂ  日表示領域
１４  ケース
１５  りゅうず
１６ａ  筒車（時車）
１６ａ１  筒状部
１６ｂ  二番車（分車）
１６ｃ  四番車（秒車）
１７ａ  筒歯車
１７ｂ  二番歯車
１７ｃ  四番歯車
１７ｆ  ボールベアリング
１７ｇ  回転錘
１８  巻真
２１  日車押さえ
２２  日ジャンパ
２２ａ  日躍制爪部
２２ｂ  日躍制バネ部
２３  月車押さえ
２４  月ジャンパ
２４ａ  月躍制爪部
２４ｂ  月躍制バネ部
２５  揺動車
２６  月修正車
２７  修正伝え車
３０，３０Ａ  日回し車
３１  日回し歯車部
３２，３２Ａ  日回し爪
３３  第一日回し中間車
３４  第二日回し中間車
４０，４０Ａ，４０Ｂ  日車
４１  日表示車部
４１ａ  文字板側表面
４２ａ  大径円筒状部
４２ｂ  鍔状部
４２ｃ  小径厚肉円筒状部
４５，４５Ａ，４５Ｂ  日歯車部
４６，４６ａ，４６ｂ  月送り歯部
４７，４７ａ，４７ｂ，４７ｃ，４７ｄ  歯部
４８，４８Ａ，４８Ｂ  切欠部
５０  月伝え車
５１  歯車
５２  歯
６０  月車（月表示車）
６１  月表示車案内パイプ
６２  ハブ部
６３  カム面
６３ａ  小径円弧状カム面
６３ｂ  大径円弧状カム面
６４  月カム
６５  歯部
６６  月歯車
６７  月表示板部
６７ａ  文字板側表面
７０，７０Ａ，７０Ｂ  作動レバー
７１  軸
７１ａ  小径部
７２  腕部
７３，７３Ａ，７３Ｂ  歯状被係合部
７３Ａａ，７３Ｂａ  先端部
７４，７４Ｂ  バネ部
７４ａ  先端部
７５  腕部本体部
７６  接続腕部
７７  孔
７８  外側面
７８ａ  後退した面部分
８０  第一駆動レバー
８１  円弧状腕部
８１ａ  中間部
８２  直線状腕部
８３  基端側円弧状腕部
８４  先端側円弧状腕部
８４ａ  先端部
８５  カム従節部
８６  ピン
８７  係合凹部
９０  第二駆動レバー
９１  直線状腕部
９１ａ，９１ｂ  端部
９２  円弧状腕部
９２ａ  端部
９２ｂ  中間部
９２ｃ  側縁
９２ｄ  端部
９３  バネ部
９３ａ  基端部
９３ｂ  先端部
９４  ピン
９５  孔部
９６  ピン状係合部
９７  ピン状押圧部
Ａ，Ｂ，Ｃ，Ｅ，Ｈ，Ｊ  回転中心軸線
Ａ１，Ａ２，Ｂ１，Ｂ２，Ｃ１，Ｃ２，Ｅ１，Ｅ２，Ｈ１，Ｊ１  回転方向
Ｆ  押圧方向
ＬＤ  日付文字
ＬＭ  月文字
Ｐ１，Ｐ１Ａ，Ｐ１Ｂ  後退位置（通常送り許容位置）
Ｐ２，Ｐ２Ａ，Ｐ２Ｂ  突出位置（事前送り許容位置）
Ｑ１，Ｓ１  大の月位置
Ｑ２，Ｓ２  小の月位置
Ｕ１  日修正位置
Ｕ２  月修正位置
Ｖ１，Ｖ２  揺動方向
【図１】
0005736242.tif 000002
【図２】
0005736242.tif 000003
【図３】
0005736242.tif 000004
【図４】
0005736242.tif 000005
【図５】
0005736242.tif 000006
【図６】
0005736242.tif 000007
【図７】
0005736242.tif 000008
【図８】
0005736242.tif 000009
【図９】
0005736242.tif 000010
【図１０】
0005736242.tif 000011
【図１１】
0005736242.tif 000012
【図１２】
0005736242.tif 000013
【図１３】
0005736242.tif 000014
【図１４】
0005736242.tif 000015
【図１５】
0005736242.tif 000016
【図１６】
0005736242.tif 000017
【図１７】
0005736242.tif 000018
【図１８】
0005736242.tif 000019
【図１９】
0005736242.tif 000020
【図２０】
0005736242.tif 000021
【図２１】
0005736242.tif 000022
【図２２】
0005736242.tif 000023
【図２３】
0005736242.tif 000024